(57)【要約】【課題】  簡単な構成をもって原稿の斜行に対処することが可能な用紙搬送装置を提供すること。【解決手段】  原稿を搬送するための搬送経路５０に、原稿の前端を一時的に停止させて斜行を矯正するようにしたレジストローラ１９及びアイドルローラ１９ａを設ける。そして、紙詰まりが発生した場合には、このレジストローラによる原稿の一時停止時間を調整する。【選択図】      図１
2005162420.tif 000002
【特許請求の範囲】
【請求項１】
用紙を搬送するための搬送経路に、搬送状態の用紙の前端を一時的に停止させて用紙の斜行を矯正するようにした矯正手段を設けた用紙搬送装置において、
前記矯正手段による用紙の一時停止時間を調整するための調整手段を設けたことを特徴とする用紙搬送装置。
【請求項２】
用紙の搬送駆動としてステップモータを用い、前記一時停止時間をステップモータのステップ数に対応させて設定したことを特徴とする請求項１に記載の用紙搬送装置。
【請求項３】
紙詰まりが生じたときには、そのときに設定されていた一時停止時間をキャンセルすることを特徴とした請求項２に記載の用紙搬送装置。
【請求項４】
一時停止時間を手動設定可能にしたことを特徴とする請求項１〜請求項３のうちのいずれか一項に記載の用紙搬送装置。
【請求項５】
複数種類の一時停止時間のうちから任意のひとつを選択して設定可能としたことを特徴とする請求項１〜請求項４のうちのいずれか一項に記載の用紙搬送装置。
【請求項６】
用紙の画像を読み取るための読み取り手段を前記搬送経路に設けたことを特徴とする請求項１〜請求項５のうちのいずれか一項に記載の用紙搬送装置。
【発明の詳細な説明】
【技術分野】
【０００１】
この発明は、複写機、ファクシミリ、スキャナーや、それらの複合機等に設けられる用紙搬送装置に関するものであって、特に搬送される用紙の斜行を矯正できるようにした用紙搬送装置に関するものである。
【背景技術】
【０００２】
従来、用紙の斜行に対処できるようにした用紙搬送装置としては、例えば特許文献１に開示されるような構成のものが提案されている。すなわち、この従来装置においては、描画パターンが記載された自動調整用チャートの用紙の搬送途中において、描画パターンを読み取らせ、読み取ったデータと、実際の描画パターンのデータとを比較して、その差分を求め、その差分に基づいて、画像データを調整し、この調整により用紙斜行を矯正するようにしている。このように、特許文献１の構成においては、斜行矯正がプログラムによりソフト的に処理される。
【特許文献１】特開２００３−６９７８９号公報
【発明の開示】
【発明が解決しようとする課題】
【０００３】
ところが、前記の従来の用紙搬送装置においては、斜行矯正を画像データの調整により行うようになっているため、複雑な調整プログラムが必要であった。しかも、自動調整用チャート（用紙）の斜行具合に応じて画像を調整できるが、実際の用紙斜行の結果、紙詰まりが生じた場合、その事態に対応することができない。
【０００４】
この発明は、前記のような従来の技術に存在する問題点に着目してなされたものである。その目的は、さまざまな原因の斜行に対して簡単な構成で容易に対処することが可能な用紙搬送装置を提供することにある。
【課題を解決するための手段】
【０００５】
上記目的を達成するために、請求項１に記載の発明は、用紙を搬送するための搬送経路に、搬送状態の用紙の前端を一時的に停止させて用紙の斜行を矯正するようにした矯正手段を設けた用紙搬送装置において、前記矯正手段による用紙の一時停止時間を調整するための調整手段を設けたことを特徴とする。
【０００６】
請求項２に記載の発明においては、請求項１に記載の発明において、用紙の搬送駆動としてステップモータを用い、前記一時停止時間をステップモータのステップ数に対応させて設定したことを特徴とする。
【０００７】
請求項３に記載の発明においては、請求項２に記載の発明において、紙詰まりが生じたときには、そのときに設定されていた一時停止時間をキャンセルすることを特徴とする。
請求項４に記載の発明においては、請求項１〜請求項３のうちのいずれか一項に記載の発明において、一時停止時間を手動設定可能にしたことを特徴とする。
【０００８】
請求項５に記載の発明においては、請求項１〜請求項４のうちのいずれか一項に記載の発明において、複数種類の一時停止時間のうちから任意のひとつを選択して設定可能としたことを特徴とする。
【０００９】
請求項６に記載の発明においては、請求項１〜請求項５のうちのいずれか一項に記載の発明において用紙の画像を読み取るための読み取り手段を前記搬送経路に設けたことを特徴とする。
【発明の効果】
【００１０】
この発明によれば、矯正手段により原稿を一時停止させることにより斜行を矯正できるため、斜行を矯正するための特別の構成や複雑なプログラム構成を装備する必要がなく、構成の簡素化を図ることができる。また、紙詰まりが発生した際は、調整手段により、一時停止時間が調整されるため、以降の紙詰まりの発生を少なくすることができる。
【発明を実施するための最良の形態】
【００１１】
（第１実施形態）
以下、この発明に係る用紙搬送装置を複合機に具体化した一実施形態を、図１〜図５に従って説明する。
【００１２】
図２に示すように、用紙搬送装置としての複合機１０の上部には、原稿給送部１１、静止原稿載置部１２及び原稿読取機構部１３が装設されている。原稿給送部１１は、複数の原稿を連続的に搬送して、その表裏両面の画像を読み取る場合に、それらの原稿を搬送するための搬送経路５０を構成する。原稿載置部１２は、原稿上から静止画像を読み取る場合に、その原稿を載置する。また、複合機１０の下部には、図示しない周知の記録紙供給部、記録部及び記録紙排出部がそれぞれ装設されている。
【００１３】
図１及び図２に示すように、前記原稿給送部１１には、読み取り前の複数の原稿を積層状態で載置するための原稿台１４と、読み取り後の原稿を積層状態で載置するための原稿排出台１５とが装備されている。そして、この原稿台１４の原稿送込口から、原稿排出台１５の原稿排出口までの間が、前記複数の原稿を連続的に搬送するための搬送経路５０となっている。
【００１４】
前記原稿台１４の原稿送込口の近傍には、原稿台１４に載置された複数枚の原稿の前端と当接するように、開閉可能なシャッタ１６が配設されている。シャッタ１６の上流側には、原稿台１４上の複数枚の原稿のうちの一番上の原稿に当接して、その原稿を搬送経路５０側に送り出すためのピックアップローラ１７が配設されている。シャッタ１６の下流側には、ピックアップローラ１７によりシャッタ１６を通過して送り出された原稿を、１枚ずつ分離して搬送経路５０内に送り込むための分離ローラ１８及び分離パッド１８ａが配設されている。
【００１５】
図１及び図２に示すように、前記原稿給送部１１の分離ローラ１８の下流側には、レジストローラ１９、第１給送ローラ２０、第２給送ローラ２１、表面読取用ローラ２２、第３給送ローラ２３、裏面読取用ローラ２４、及び第４給送ローラ２５が搬送経路５０に沿って原稿の搬送順に配設されている。これらのローラ１９〜２５のうちで、レジストローラ１９、第１給送ローラ２０、第２給送ローラ２１、第３給送ローラ２３及び第４給送ローラ２５には、アイドルローラ１９ａ，２０ａ，２１ａ，２３ａ，２５ａがそれぞれ接触配置されている。
【００１６】
前記ピックアップローラ１７から第４給送ローラ２５までの各ローラ１７〜２５は、図３に示す１つの駆動モータとしてのステップモータ２６に作動連結されて回転駆動されるようになっている。また、これらのローラ１７〜２５のうちで、ピックアップローラ１７及び分離ローラ１８とステップモータ２６との間、並びにレジストローラ１９とステップモータ２６との間には、図３に示す電磁式のクラッチ２７，２８がそれぞれ介装され、必要に応じて各ローラ１７〜１９とステップモータ２６との作動連結が遮断されるようになっている。さらに、前記裏面読取用ローラ２４と対応する位置には、撮像素子を内装した読み取り手段としての密着型イメージセンサ２９が配設されている。
【００１７】
図１に示すように、前記原稿給送部１１の原稿台１４には、原稿台１４上に載置された原稿の幅に基づいて副走査方向のサイズを検知して原稿サイズを検出するための原稿サイズ検知センサＤＬＳが設けられている。ピックアップローラ１７とシャッタ１６との間には、シャッタ１６に当接された原稿の有無を検知する原稿有無検知センサＤＳ１が設けられている。分離ローラ１８とレジストローラ１９との間において分離ローラ１８寄りの位置には、搬送中の原稿の位置を検知する第１原稿位置検知センサＤＳＳが設けられている。
【００１８】
さらに、レジストローラ１９の近傍には、レジストローラ１９に原稿の前端が当接したことを検知するためのレジストセンサＤＲＳが設けられている。第２給送ローラ２１と第３給送ローラ２３との間において第３給送ローラ２３寄りの位置には、原稿の位置を検知する第２原稿位置検知センサＤＳ２が設けられている。第３給送ローラ２３と裏面読取用ローラ２４との間には、原稿の位置を検知する第３原稿位置検知センサＤＳ３が設けられている。
【００１９】
図２に示すように、前記原稿載置部１２には、上面に原稿を載置するための透明な原稿載置板３０と、その原稿載置板３０上に開閉回動可能に配設された押え蓋３１とが装備されている。そして、前記原稿給送部１１の原稿台１４及び原稿排出台１５は、この原稿載置部１２の押え蓋３１上に配設されている。
【００２０】
図１及び図２に示すように、前記原稿読取機構部１３には、透光板３２、光源３３、第１ミラー３４、第２ミラー３５、第３ミラー３６、集光レンズ３７及び読み取り手段としての撮像素子（ＣＣＤ）３８が装備されている。透光板３２は、原稿給送部１１の表面読取用ローラ２２に対抗配置されている。光源３３は、透光板３２上を通過する原稿、または原稿載置板３０上に載置された原稿に光を照射する。第１〜第３ミラー３４〜３６は、原稿からの反射光の光路を変更する。集光レンズ３７は、第３ミラー３６からの光を撮像素子３８上に収束させる。撮像素子３８は、集光レンズ３７を通して入射した光に基づいて原稿の画像を読み取るとともに、その読み取った原稿の画像信号を出力する。
【００２１】
前記光源３３及び第１ミラー３４は、副走査方向に移動可能な第１キャリッジ３９上に支持されている。また、第２及び第３ミラー３５，３６は、同じく副走査方向に移動可能な第２キャリッジ４０上に支持されている。そして、図示しない周知の移動機構によって、第１キャリッジ３９が第２キャリッジ４０の２倍の移動速度で移動されるようになっている。
【００２２】
これにより、前記原稿給送部１１による複数の原稿の連続搬送時には、第１及び第２キャリッジ３９，４０が、その移動範囲のほぼ中央に設定された待機位置Ｐ１から、透光板３２の真下に対向位置する読取位置Ｐ２に移動配置される。また、原稿載置部１２に載置された原稿上の静止画像の読み取り時には、両キャリッジ３９，４０が、原稿載置板３０の原稿給送部１１側の端部の真下に対向位置する位置Ｐ３と、原稿載置板３０の反対側端部の真下に対向位置する位置Ｐ４との間で移動される。
【００２３】
そして、前記のような構成の原稿給送部１１及び原稿読取機構部１３により原稿自動読取装置（ＡＤＦ）が構成され、第１及び第２キャリッジ３９，４０が読取位置Ｐ２に配置された状態で、透光板３２上を通過する原稿上の画像の読み取りが行われる。また、原稿載置部１２及び原稿読取機構部１３によりフラットベッドスキャナ（ＦＢＳ）が構成され、両キャリッジ３９，４０が位置Ｐ３から位置Ｐ４まで移動される間で、原稿載置板３０上に載置された原稿上の画像の読み取りが行われる。
【００２４】
次に、前記のように構成された複合機１０の電気的構成について説明する。
図３に示すように、調整手段としての制御装置４１は複合機１０全体の動作を制御するための制御手段を構成している。制御装置４１には、複合機の動作プログラムや原稿の副走査方向におけるサイズ等の各種データを記憶するための記憶部４２が内装されている。この記憶部４２には、後述の一時停止時間のデータを多数格納したテーブル４２ａと、ワーキングエリア４２ｂとが設けられている。そして、テーブル４２ａの一時停止時間データのなかからひとつの一時停止時間のデータが選択されて、ワーキングエリア４２ｂに設定記憶される。また、制御装置４１には、前記撮像素子で読み取られた画像データを記憶するための画像メモリ５１が内装されている。そして、この制御装置４１は、前記各センサＤＬＳ，ＤＳ１，ＤＳＳ，ＤＲＳ，ＤＳ２，ＤＳ３、及び操作部４３の原稿読取用のスタートボタン４３ａから入力される各種信号に基づいて、前記ステップモータ２６、分離ローラクラッチ２７、レジストローラクラッチ２８、密着型イメージセンサ２９及び撮像素子３８の動作を制御する。
【００２５】
なお、この実施形態では、前記原稿給送部１１のレジストローラ１９、分離ローラ１８及びレジストローラクラッチ２８等により、原稿の斜行を矯正するための矯正手段としての矯正部が構成されている。
【００２６】
そして、前記制御装置４１は、原稿給送部１１にて原稿を連続的に搬送して、その表裏両面の画像の読取処理を行う際、先行する原稿の読み取り動作中に、その後続の原稿の斜行矯正動作が実行されるように、前記読取部の撮像素子３８や密着型イメージセンサ２９、及び矯正部のレジストローラクラッチ２８等を作動制御する。この場合、制御装置４１は、分離ローラ１８による原稿の送り込み動作中に、レジストローラクラッチ２８の接続を遮断させることにより、レジストローラ１９を一時的に停止させて、原稿の斜行状態を矯正するようになっている。
【００２７】
制御装置４１の記憶部４２には、この実施形態の用紙搬送装置の動作プログラムが格納されるとともに、各種のワーキングデータ等が一時的に記憶される。このワーキングデータのひとつとして、前記ステップモータ２６の駆動ステップ数で表される斜行矯正用の一時停止時間を示す複数のデータがテーブルとして記憶される。この一時停止時間は、レジストローラ１９のレジストローラクラッチ２８の遮断時間を表す。そして、各種の条件に応じて好適な長さの一時停止時間が設定される。例えば、読み取られる原稿の用紙サイズが小さい場合には、大きい場合と比較して相対的な用紙剛性が高いために、用紙サイズが大きい場合よりも短い一時停止時間を示すデータが選択されて、設定される。
【００２８】
次に、前記のように構成された複合機１０の動作を説明する。
さて、この複合機１０において、複数の原稿を搬送経路５０内において連続的に搬送しながら、その表裏両面の画像の読取処理を行う場合には、制御装置４１の制御に基づいて、図４のフローチャートに示す送り込み処理、図５のフローチャートに示す斜行矯正処理が実行される。これらの処理は、制御装置４１の制御のもとに記憶部４２内のプログラムが実行されることで進行する。
【００２９】
この場合、送り込み処理とは、原稿台１４上に載置された原稿を一枚ずつ搬送経路５０に送り込む制御処理のことをいう。また、斜行矯正処理とは、搬送経路５０に送り込まれ原稿の搬送を一時的に停止させて待機させるとともに、斜行状態を矯正する制御処理のことをいう。さらに、読取処理とは、原稿を図１に示す表面読取位置ＦＰ及び裏面読取位置ＢＰへ順に搬送して、撮像素子３８及び密着型イメージセンサ２９により、原稿の表裏両面の画像を読み取る制御処理のことをいう。
【００３０】
まず、図４の送り込み処理について説明する。
さて、ステップ（以下、Ｓと略記する）１００において、操作部４３のスタートボタン４３ａが押されると、原稿有無検知センサＤＳ１からの検知信号に基づいて、原稿台１４上に原稿が載置されているか否かが判別される（Ｓ１０１）。原稿が存在しているときには、原稿サイズ検知センサＤＬＳからの検知信号により、原稿の副走査方向のサイズが判別され、そのサイズが記憶部４２に保存される（Ｓ１０２）。
【００３１】
その後、ステップモータ２６が起動されるとともに、レジストローラクラッチ２８が遮断状態から接続状態に切り換えられる（Ｓ１０３）。続いて、分離ローラクラッチ２７が遮断状態から接続状態に切り換えられる（Ｓ１０４）。これにより、ステップモータ２６の回転がピックアップローラ１７、分離ローラ１８及びレジストローラ１９等に伝達され、それらのローラ１７〜１９の回転に伴い、原稿台１４上から最初の１枚の原稿が搬送経路５０に送り込まれる。
【００３２】
続いて、第１原稿位置検知センサＤＳＳからの検知信号により、原稿の前端が分離ローラ１８よりもレジストローラ１９側の所定の第１搬送位置まで送り込まれたか否かが判別される（Ｓ１０５）。そして、原稿が第１搬送位置まで送り込まれると、ステップモータ２６の駆動ステップ数がカウントされて、第１搬送位置からの原稿の搬送量の計測が開始される（Ｓ１０６）。さらに、この分離ローラ１８による原稿の送り込み動作中に、レジストローラ１９との間において、後述の図５のフローチャートに示す原稿の斜行矯正処理が実行される（Ｓ１０７）。
【００３３】
次に、前記第１搬送位置からの原稿の搬送量が、記憶部４２に記憶された原稿のサイズに対応する搬送量、すなわち、原稿の後端が分離ローラ１８から外れる位置まで搬送される搬送量に達したか否かが判断される（Ｓ１０８）。原稿の搬送量が所定量に達したときには、分離ローラクラッチ２７が遮断状態に切り換えられて、ピックアップローラ１７及び分離ローラ１８が停止される（Ｓ１０９）。これにより、後続の原稿の送り込みが一時的に停止され、この状態で先行の原稿がレジストローラ１９によって搬送され続ける。
【００３４】
その後、第１原稿位置検知センサＤＳＳからの検知信号により、原稿の後端が第１搬送位置まで搬送されたか否かが判別される（Ｓ１１０）。原稿の後端が所定位置まで搬送されると、原稿有無検知センサＤＳ１からの検知信号に基づいて、原稿台１４上に後続する原稿が存在するか否かが判別される（Ｓ１１１）。原稿台１４上に後続の原稿があるときには、前記Ｓ１０４に戻って、Ｓ１０４〜Ｓ１１１の処理が繰り返し実行される。これにより、原稿台１４上に複数の原稿が載置されている場合には、各原稿が先行の原稿の後端と後続する原稿の前端との間に所定の間隔をおいた状態で、搬送経路５０に順に送りまれる。これに対して、前記Ｓ１１１の判別において、原稿台１４上に原稿がない場合には、この送り込み処理が終了する。
【００３５】
次に、図５に示す原稿の斜行矯正処理について説明する。
さて、前記原稿の斜行矯正処理においては、記憶部４２の一時停止時間のテーブル４２ａから読み取り倍率、用紙サイズ、解像度、用紙種類等の各種条件に応じて最適な一時停止時間が選択されてワーキングエリア４２ｂに設定される。
【００３６】
この状態で、分離ローラ１８による原稿の動作中に、まずレジストセンサＤＲＳからの検知信号により、原稿の前端がレジストローラ１９に当接する第２搬送位置まで送り込まれたか否かが判別される（Ｓ２００）。原稿の前端が第２搬送位置に達すると、レジストローラクラッチ２８が接続状態から遮断状態に切り換えられて、レジストローラ１９が停止されるとともに、ステップモータ２６の駆動ステップ数に基づいて、原稿の前端側を停止させた状態における後端側の搬送量の計測が開始される（Ｓ２０１）。
【００３７】
従って、レジストローラ１９による原稿の前端側の搬送が一時的に停止される一時停止状態となり、分離ローラ１８による原稿の後端側の搬送のみが継続される。このため、原稿が待機状態になり、その原稿の前端縁がレジストローラ１９に押し付けられて、原稿の斜行状態が矯正される。この場合、待機状態の原稿よりも先行する原稿がある場合には、その先行原稿に対する読取処理が、待機中の原稿の斜行矯正処理と同時に実行されている。
【００３８】
続いて、分離ローラ１８による原稿の後端側の搬送量が、記憶部４２に記憶された原稿の斜行矯正に必要な所定の搬送量に達したか否かが判別される（Ｓ２０２）。つまり、駆動モータ２６のステップ数をカウントすることにより、設定された一時停止時間が経過したか否かが判別され、一定時間が経過して原稿の搬送量が所定値に達すると、分離ローラクラッチ２７が接続状態から遮断状態に切り換えられ、ピックアップローラ１７及び分離ローラ１８の回転が停止される（Ｓ２０３）。これにより、原稿の後端側の搬送動作が停止されて、その原稿の斜行矯正動作が終了する。
【００３９】
その後、斜行矯正動作を終了した待機状態の原稿が、原稿台１４上の複数の原稿のうちの最初の原稿であるか否かが判別される（Ｓ２０４）。最初の原稿である場合には、分離ローラクラッチ２７及びレジストローラクラッチ２８が共に遮断状態から接続状態に切り換えられる（Ｓ２０５）。これにより、ピックアップローラ１７、分離ローラ１８及びレジストローラ１９が回転されて、待機状態の原稿の搬送が再開される。
【００４０】
一方、前記Ｓ２０４の判別において、待機状態の原稿が最初の原稿でない場合には、読取処理において、先行する原稿の後端が表面読取位置ＦＰに達したか否かの判別結果に基づいて、先行原稿の表面の画像読み取りが終了したか否かが判別される（Ｓ２０６）。そして、先行原稿の画像読み取りが終了したときには、前記Ｓ２０５に戻って、両クラッチ２７，２８が切り換えられ、ローラ１７〜１９が回転されて、待機状態の原稿の搬送が再開される。
【００４１】
これにより、先行原稿と後続原稿とが搬送経路５０内で所定の前後間隔となったときに、搬送経路５０の途中に待機させている後続原稿の搬送が再開される。ここで、先行原稿と後続原稿との前後間隔は、後続原稿の表面の画像読み取りを開始するまでに、先行原稿の表面の画像読み取りデータを画像メモリ５１に記憶することができる間隔に設定されている。
【００４２】
なお、原稿を読み取ることなく排出させる際にも同様な斜行矯正処理が実行されるが、この原稿排出の場合には、図５のＳ２０４及びＳ２０６の判断が行われず、原稿は所定の間隔を保持しながら連続的に排出搬送される。
【００４３】
以上のように、この実施形態では、原稿給送部１１に従来から装備されているピックアップローラ１７、分離ローラ１８及びレジストローラ１９の回転を制御することにより、原稿の斜行状態が矯正されるようになっている。このため、斜行を矯正するための特別の構成を装備する必要がなく、構成の簡素化を図ることができる。また、前述した読み取った描画パターンのデータと、実際の描画パターンのデータとを比較して、画像データを調整し、用紙斜行をソフト的に矯正するようにした従来構成に比べて、複雑なプログラムを組む必要がなく、プログラム構成を簡素化できる。
【００４４】
以上のようにして、原稿の読み取りまたは排出のために搬送される際に、図６に示すように、搬送経路５０のいずれかの位置において紙詰まり（ジャム）が発生した場合には（Ｓ３００）、前述した斜行矯正のために選択されて記憶部４２のワーキングエリア４２ｂに設定された一時停止時間がキャンセルされる（Ｓ３０１）。ここで、紙詰まりの検出は以下のようにして行われる。すなわち、紙詰まりが発生した場合には、搬送経路５０内の紙詰まり発生箇所の下流側におけるセンサＤＳ１，ＤＳＳ，ＤＲＳ，ＤＳ２，ＤＳ３の原稿検出が遅れたり、原稿検出が行われなかったりする。このため、ひとつのセンサＤＬＳ，ＤＳ１，ＤＳＳ，ＤＲＳ，ＤＳ２が原稿を検出した後、その下流側のセンサＤＳ１，ＤＳＳ，ＤＲＳ，ＤＳ２，ＤＳ３が原稿を検出するまでの時間をカウントし、検出時間が遅延したり、検出しなかったりした場合には、紙詰まりであると判断することができる。
【００４５】
次いで、前記ワーキングエリア４２ｂに設定されていた一時停止時間に対して予め決められた所定の時間（例えば、０．５秒分）がプラスされて（Ｓ３０２）、新たな一時停止時間がワーキングエリア４２ｂに設定される（Ｓ３０３）。従って、これ以降は、紙詰まりが発生した際の一時停止時間よりやや長い一時停止時間が用いられて斜行矯正が実行される。このため、これ以降は紙詰まりの発生を少なくすることができる。そして、この一時停止時間が設定された後に、再度紙詰まりが生じた場合には、図６のプログラムにおいて、さらに所定時間がプラスされる。
【００４６】
（第２実施形態）
前述した図６のプログラムにおいては、紙詰まりが発生したときに、設定された一時停止時間が自動的に延長されるように構成されている。この構成に代えて、紙詰まりが発生したときに、一時停止時間を手動で設定できるようにしてもよい。
【００４７】
すなわち、図７に示すように、紙詰まりが発生した場合には、Ｓ４００及びＳ４０１において、図６のＳ３００及びＳ３０１と同じ処理が実行される。次いで、操作部４３から一時停止時間が入力されたか否かが判別され、入力された場合には、その一時停止時間が新たに設定される。従って、その後は、この一時停止時間を用いて斜行矯正が実行される。このように、紙詰まりが発生するごとに、一時停止時間を変更することにより、この後の紙詰まりを抑制できる。
【図面の簡単な説明】
【００４８】
【図１】第１の実施形態の複合機における原稿給送部及び読取部を示す縦断面図。
【図２】複合機の上部を示す縦断面図。
【図３】電気的構成を示すブロック図。
【図４】読取制御における送り込み処理のフローチャート。
【図５】同じく斜行矯正処理のフローチャート。
【図６】紙詰まり発生後の一時停止時間の変更処理を示すフローチャート。
【図７】第２の実施形態における紙詰まり発生後の一時停止時間の変更処理を示すフローチャート。
【符号の説明】
【００４９】
１０…用紙搬送装置としての複合機、１１…原稿給送部、１７……矯正手段を構成するピックアップローラ、１８…矯正手段を構成する分離ローラ、１９…矯正手段を構成するレジストローラ、２６…駆動モータとしてのステップモータ、２８…矯正手段を構成するレジストローラクラッチ、４１…調整手段及び制御手段としての制御装置、５０…搬送経路、ＤＲＳ…レジストセンサ。
【図１】
2005162420.tif 000003
【図２】
2005162420.tif 000004
【図３】
2005162420.tif 000005
【図４】
2005162420.tif 000006
【図５】
2005162420.tif 000007
【図６】
2005162420.tif 000008
【図７】
2005162420.tif 000009